(57)【特許請求の範囲】
【請求項１】
ベースに、可動接触片及び固定接触片を上方から組み付け、その側方に電磁石ブロックを載置するようにした電磁継電器において、
前記可動接触片は、可動接点が設けられる接触片部と、該接触片部に固定される端子部とからなり、前記端子部は、前記接触片部の両側にはみ出す押圧部と、屈曲して突出する端子とを備え、
前記ベースは、組み付けられる可動接触片と固定接触片とを絶縁する絶縁壁を備え、前記絶縁壁は、前記可動接触片側に突出し、前記端子部よりも幅狭に形成される接触片圧入部と、前記接触片圧入部の両側に形成され、両側に開口するように構成されるガイド部とからなり、
前記ベースは、さらに前記ガイド部の近傍に前記可動接触片の端子が挿通される挿通孔を備えたことを特徴とする電磁継電器。
【請求項２】
前記絶縁壁は、前記ガイド部が、絶縁部材で覆われた電磁石ブロックの一端部の位置決めを兼ねていることを特徴とする請求項１に記載の電磁継電器。
【発明の詳細な説明】
【０００１】
【発明の属する技術分野】
本発明は、電磁継電器に関するものである。
【０００２】
【従来の技術】
従来、電磁継電器として、米国特許第5,719,541号に開示のものがある。この電磁継電器では、各接触片を全て上方からベースの圧入孔に圧入するようにしている。また、各接触片間は、絶縁のために接点開閉部分の近傍まで絶縁壁によって仕切るようにしている。
【０００３】
【発明が解決しようとする課題】
しかしながら、前記電磁継電器では、各接触片間に高く形成される絶縁壁のために圧入孔が隠れてしまい、接触片を圧入孔に挿入するのが困難である。また、前記各接触片は、略平板形状であるため、押圧する部分が両縁からはみ出した限られた部分でしかない。このため、絶縁壁の高さとも相俟って圧入作業が非常に困難となる。
【０００４】
そこで、本発明は、接触片をベースに効率良く圧入可能な構成を備えた電磁継電器を提供することを課題とする。
【０００５】
【課題を解決するための手段】
本発明は、前記課題を解決するための手段として、
ベースに、可動接触片及び固定接触片を上方から組み付け、その側方に電磁石ブロックを載置するようにした電磁継電器において、
前記可動接触片は、可動接点が設けられる接触片部と、該接触片部に固定される端子部とからなり、前記端子部は、前記接触片部の両側にはみ出す押圧部と、屈曲して突出する端子とを備え、
前記ベースは、組み付けられる可動接触片と固定接触片とを絶縁する絶縁壁を備え、前記絶縁壁は、前記可動接触片側に突出し、前記端子部よりも幅狭に形成される接触片圧入部と、前記接触片圧入部の両側に形成され、両側に開口するように構成されるガイド部とからなり、
前記ベースは、さらに前記ガイド部の近傍に前記可動接触片の端子が挿通される挿通孔を備えたものである。
【０００６】
この構成により、挿通孔の近傍には端子の挿入作業を妨げる絶縁壁が存在せず、この挿入作業を容易に行うことができる。また、接触片の押込部を押し込む場合にも、絶縁壁が邪魔になることはなく、その押込作業も容易に行うことができる。
【０００７】
前記絶縁壁は、前記ガイド部が、絶縁部材で覆われた電磁石ブロックの一端部の位置決めを兼ねるように構成すると、構造を複雑化することなく対処できる点で好ましい。
【０００８】
【発明の実施の形態】
以下、本発明に係る実施形態を添付図面に従って説明する。
【０００９】
図１は、本実施形態に係る電磁継電器の分解斜視図である。
【００１０】
この電磁継電器は、大略、ベース１と、このベース１に設けられる電磁石ブロック２、絶縁部材３、接触片４及びケース５から構成されている。
【００１１】
ベース１は、図２に示すように、厚肉部６と薄肉部７とからなる矩形板状で、一端側の厚肉部６には第一圧入受部８及び第二圧入受部９が形成されている。
【００１２】
第一圧入受部８及び第二圧入受部９は、図３（ａ）に示すように、厚肉部６の幅方向にスリット１０ａ，１０ｂを形成したものである。各スリット１０ａ，１０ｂの両端には、後述するように接触片４の圧入突部５１，５７がそれぞれ圧入されるようになっており、その内側にはベース１の他端側に向かう逃ガシ凹部１１ａ，１１ｂがそれぞれ形成されている。また、両スリット１０ａ，１０ｂを仕切る仕切壁１２からは、さらに遮蔽壁１３が突設されている。前記第一圧入受部８のスリット１０ａ，１０ｂの底面両側と逃ガシ凹部１１ａの一方の底面には、第一固定接触片４５の各端子部５２を挿通するための第一挿通孔１４ａ及び１４ｂがそれぞれ穿設されている。一方、第二圧入受部９の各逃ガシ凹部１１ｂの底面には、可動接触片４７の各端子部６０ｃを挿通するための第二挿通孔１５がそれぞれ穿設されている。但し、スリット１０ａの挿通孔１４ａと１４ｂとは同時に使用されることはない（この点については後述する。）。
【００１３】
また、前記ベース１の厚肉部６と薄肉部７とは、本発明に係る絶縁壁である第三圧入受部１６によって仕切られている。第三圧入受部１６は、厚肉部６側に略コ字形に突出する接触片圧入部１７と、この接触片圧入部１７の両側に位置し、さらに上方に突出する断面略Ｌ字形のガイド部１８とからなる。接触片圧入部１７には、対向する側壁３２内面に、上縁から下方に向かう圧入溝１９を形成されている。ガイド部１８は、後述する絶縁部材３をガイドするためのものである。また、第三圧入受部１６は、第二挿通孔１５を側方から視認でき、後述するように、端子の挿入を容易に行うことができるように形成されている。
【００１４】
前記ベース１の薄肉部７は、反り等を防止するためにリブ２０により補強され、そこには矩形状の圧入孔２１が３箇所にそれぞれ形成されている。また、薄肉部７には、前記ガイド部１８の一方の近傍２箇所と、他方の近傍１箇所とに第三挿通孔２２ａ，２２ｂがそれぞれ穿設されている。さらに、薄肉部７には、一端側の上面両側部に係止凹部２３がそれぞれ形成され、一端縁部には係合突部２４が突設されている。
【００１５】
電磁石ブロック２は、図４に示すように、鉄心２５にスプール２６を介してコイル２７を巻回した電磁石部２８に、略Ｌ字形のヨーク２９を一体化したもので、一端側には図５に示す可動鉄片３０が配設されている。スプール２６の一端側鍔部２６ａの上部両端が斜めに形成され、中央部が切り欠かれることにより一対のガイド片３１が形成されている。また、スプール２６の一端側鍔部２６ａには、両側縁下半部及び下縁から側壁３２及び底壁３３が延設されている。側壁３２にはコイル２７の両端部がそれぞれ巻き付けられるコイル端子３４が圧入・一体化されている。また、底壁３３には、前記ベース１の係合突部２４が係合する係合孔３５が穿設されている。可動鉄片３０には、略Ｌ字形に屈曲されたヒンジバネ３６が一体化されている。ヒンジバネ３６の一端部には係止爪３７が切り起こされ、ベース１と電磁石ブロック２との間に挿入されてベース１の係止凹部２３に係止されるようになっている。また、可動鉄片３０の上部には係止部３８が形成され、そこにはカード３９の一端部が係止されるようになっている。カード３９は、図６に示すように、略枠体形状で、他端部には下方に延在するストッパ部４０が形成され、その端部には係止突部４１が形成されている。ストッパ部４０のストッパ面４０ａは、前記ベース１のガイド部１８に当接し、カード３９の移動範囲を規制するようになっている。また、カード３９には、前記スプール２６の各ガイド片３１が位置するガイド穴４２が形成されている。ガイド穴４２はカード３９の安定した移動を可能とするためのものである。
【００１６】
絶縁部材３は、図７（ａ）に示すように、一端側にのみ開口する筒状で、底壁３３には前記ベース１の各圧入孔２１にそれぞれ圧入するための圧入突起４３が形成されている。また、前記絶縁部材３の側壁下部内面にはガイド溝４４がそれぞれ形成され、電磁石ブロック２のヨーク２９が圧入されるようになっている。
【００１７】
接触片４は、第一固定接触片４５及び第二固定接触片４６と、それらの間に配設される可動接触片４７とからなる。
【００１８】
第一固定接触片４５は、図８（ａ）に示すように、導電性材料をプレスして略矩形板状としたものである。この第一固定接触片４５の上部には貫通孔４５ａが穿設され、そこには第一固定接点４８がかしめ固定されている。また、第一固定接触片４５の側縁部には切欠部４９がそれぞれ形成され、その下方側は切欠部４９の上方部分よりも幅広の第一圧入部５０となっている。この第一圧入部５０は、両側部に板厚方向に突出する第一圧入突部５１をそれぞれ形成することにより、前記ベース１の第一圧入受部８に圧入可能となっている。また、前記第一固定接触片４５の下端部には第一端子部５２が形成されている。この第一端子部５２には、電磁継電器の種類に応じて、図８（ｂ）に示すように、第一固定接触片４５の下端両側部から同一平面内で下方に突出する２つの第一端子部５２を備えた高電力用と、図８（ｃ）に示すように、下端一側部からクランク状に突出する１つの第一端子部５２を備えた低電力用とがある。高電力用のものでは、２つの第一端子部５２は、前記ベース１のスリット１０の両側に設けた各第一挿通孔１４ａにそれぞれ挿通される。一方、低電力用のものでは、１つの第一端子部５２は、逃ガシ凹部１１の一方に設けた第一挿通孔１４ｂに挿通されるようになっている。
【００１９】
第二固定接触片４６は、図９（ａ）に示すように、導電性材料をプレスすることにより下端部に略直角に屈曲する屈曲部５３を形成したものである。この第二固定接触片４６の上部は、穿設された貫通孔４６ａに第二固定接点５４がかしめ固定される固定接点部５５となっている。固定接点部５５の下方側は幅狭の第二圧入部５６となっている。この第二圧入部５６は、その上方側両縁部に板厚方向に突出する第二圧入突部５７をそれぞれ形成することにより、前記ベース１の第二圧入受部９に圧入可能となっている。また、前記屈曲部５３の先端には略直角に延在する第二端子部５８が形成され、前記ベース１の第二挿通孔１５を挿通して下方に突出するようになっている。この第二端子部５８も、前記第一固定接触片４５と同様、図９（ｂ）に示すように、２つの第二端子部５８からなる高電力用と、図９（ｃ）に示すように、１つの第二端子部５８からなる低電力用とがあり、スリット１０の両側に設けた各第二挿通孔２２ａと、逃ガシ凹部１１の一方に設けた第二挿通孔２２ｂとにそれぞれ挿通されるようになっている。
【００２０】
可動接触片４７は、図１０（ａ）に示すように、導電性材料をプレスすることにより形成される板状の接触片部５９と、この接触片部５９にかしめ固定される端子部６０とから構成されている。
【００２１】
前記接触片部５９の上半部には、切除部６１によって可動接点部６２と、その両側に位置する駆動片６３とが形成されている。可動接点部６２には貫通孔４６ａが形成され、そこには両面に位置するように可動接点６４がかしめ固定されている。また、各駆動片６３の上部側縁には、半円で、内縁を切起こされた係止受部６５がそれぞれ形成されている。各係止受部６５には、前記カード３９の係止突部４１がそれぞれ係止されるようになっている。一方、前記接触片部５９の下半部には、中央に切欠き６６が形成され、その下方には端子部６０をかしめ固定するための貫通孔５９ａが穿設されている。このように、前記接触片部５９は、切除部６１及び切欠き６６により、駆動片６３を駆動する際に必要な応力を小さく抑えることができ、両側に設けた駆動片６３により均等で安定した動作を得ることができるようになっている。
【００２２】
前記端子部６０には、前記接触片部５９の貫通孔５９ａにかしめ固定するためのかしめ用突起６０ａと、前記接触片部５９をガイドするためのガイド用突起６０ｂと、前記ベースの第三挿通孔２２ａ，２２ｂを貫通する第三端子部６０ｃとを備えている。この端子部６０では、接触片部５９にかしめ固定された状態で、両側にはみ出した部分が本発明に係る押込部Ａ，Ｂを構成するようになっている。なお、前記端子部６０にも、前記第一固定接触片４５と同様、図１０（ｂ）に示すように、２つの第三端子部６０ｃからなる高電力用と、図１０（ｃ）に示すように、１つの第三端子部６０ｃからなる低電力用とがあり、高電力用は第三挿通孔２２ａに、低電力用は第三挿通孔２２ｂにそれぞれ挿通されるようになっている。
【００２３】
ケース５は、図１に示すように、前記ベース１の外縁と、電磁石ブロック２のスプール２６の鍔部とに嵌合し、各構成部品を被覆するようになっている。ケース５の天井面にはガス孔６７が穿設され、内部を真空にしたり、あるいは、不活性ガスを注入した後、封止されるようになっている。
【００２４】
続いて、前記電磁継電器の組立方法について説明する。ここでは、高電力用の電磁継電器について説明する。
【００２５】
まず、ベース１の各圧入部に各接触片４を組み付ける。第一固定接触片４５は、その第一圧入部５０の第一圧入突部５１を、上方からベース１の第一圧入受部８に圧入し、挿通孔１４ａから端子部５２を突出させることにより組み付ける。第二固定接触片４６は、その第二圧入部５６の第二圧入突部５７を、上方からベース１の第三圧入受部１６に形成した圧入溝１９に圧入し、挿通孔１５，１６から端子部５８を突出させることにより組み付ける。このとき、屈曲部５３は薄肉部７に配設され、リブ２０から突出することはない。可動接触片４７は、端子部６０を、上方からベース１の第二圧入受部９に圧入し、その端子６０ｃを挿通孔２２ａから突出させることにより組み付ける。この場合、端子部６０の接触片部５９からはみ出した押込部Ａ，Ｂを押し込むが、その押込部Ａ，Ｂは第三圧入受部１６から離れているため、押込作業が妨げられることはない。また、各接触片４の組付けは、全てベース１の上方から行うことができ、ベース１の方向を変更する必要がないので、効率的に行うことが可能である。
【００２６】
各接触片４の取付けが完了すれば、図１１に示すように、ベース１に絶縁部材３を組み付ける。絶縁部材３は、その一端縁部をガイド部１８によってガイドすると共に、圧入突起４３を圧入孔２１に圧入することにより固定する。これにより、前記第二固定接触片４６の屈曲部５３を絶縁部材３によって完全に被覆でき、両部材間に十分な絶縁状態を維持しつつ、屈曲部５３を電磁石ブロック２の下方に配設することが可能となる。
【００２７】
続いて、ベース１に、予め別工程で組み立てた電磁石ブロック２を組み付ける。電磁石ブロック２は、その一端部が前記絶縁部材３内に収容されるように、ベース１の一端側から組み付ける。電磁石ブロック２は、ヨーク２９の両側縁部を絶縁部材３のガイド溝４４に圧入されると共に、スプール２６の係合孔３５にベース１の係合突部２４を係合されることにより固定される。
【００２８】
次いで、ベース１に、ヒンジバネ３６を取り付けた可動鉄片３０を組み付ける。ヒンジバネ３６の一端部がベース１と電磁石ブロック２との間に挿入され、係止爪３７がベース１の係止凹部２３に係止されることにより、可動鉄片３０は回動可能に支持される。
【００２９】
その後、可動鉄片３０と可動接触片４７とをカード３９で連結する。カード３９は、電磁石ブロック２が組み付けられるベース１のガイド部１８によって移動範囲を規制されるので、第二固定接点５４に対する可動接点６４の押込量を正確に一定量に維持することが可能となる。
【００３０】
最後に、ベース１及び電磁石ブロック２の一部にケース５を嵌合することにより、各構成部品を被覆し、嵌合部分等をシール剤でシールした後、ガス孔６７を封止することにより電磁継電器を完成する。
【００３１】
次に、前記電磁継電器の動作について説明する。
【００３２】
電磁石部２８が無励磁の状態では、可動鉄片３０がヒンジバネ３６によってカード３９を介して可動接触片４７を付勢し、その可動接点６４を第二固定接触片４６の第二固定接点５４に閉成している。このとき、前述のように、ベース１に設けたガイド部１８によってカード３９の移動範囲が規制されているので、第二固定接点５４に対する可動接点６４の押込量を一定に維持し、所望の接触信頼性を得ることができる。
【００３３】
そして、電磁石部２８を励磁すると、可動鉄片３０が鉄心２５の端部に吸引されて回動し、カード３９を介して可動接触片４７を第一固定接触片４５に向かって撓ませる。これにより、可動接点６４は第二固定接点５４から離間し、第一固定接触片４５の第一固定接点４８に閉成する。
【００３４】
ところで、前記実施形態では、本発明の構成を接点開閉部が１極の電磁継電器に適用する場合について説明したが、２極以上の電磁継電器にも適用可能である。
【００３５】
接点開閉部が２極の電磁継電器は、図１２及び図１５に示すように、接触片４ａ，４ｂが隔壁６８によって仕切られた各圧入部８ａ，８ｂ、９ａ，９ｂにそれぞれ設けられ、それぞれ異なる回路を開閉できるようになっている。また、ベース１の上面には、両側に位置する各第二固定接触片４６ａ，４６ｂの各屈曲部５３の間に第一溝部６９が形成されている。また、絶縁部材３の底面には、図１４に示すように、前記第一溝部６９に対向する位置に第二溝部７０が形成されている。これにより、ベース１を幅狭に構成しても、図１５に示すように、両屈曲部５３の間の沿面距離を十分に取ることが可能となる。なお、前記溝部６９，７０は、いずれか一方を残る他方に係合する突条で構成しても、同様に十分に沿面距離を取ることができる。また、他の部分は前記実施形態に係る電磁継電器と同様の構成である。
【００３６】
前記実施形態では、絶縁部材３を、その圧入突部をベース１の圧入孔２１に圧入することのみによりベース１に組み付けるようにしたが、接着剤を塗布したり、シール剤で組付け強度を高めるようにしてもよい。
【００３７】
また、前記絶縁部材３を、図１６に示すように、底面に略Ｌ字形のスライド圧入部を形成する一方、各スライド圧入部を上方から挿入し、水平方向にスライドさせることにより圧入状態となるスライド圧入凹部を形成するようにしてもよい。
【００３８】
また、前記絶縁部材３を、ベース１に電磁石ブロック２を組付けた後、２次成形により形成するようにしてもよい。
【００３９】
【発明の効果】
以上の説明から明らかなように、本発明に係る電磁継電器によれば、絶縁壁を、可動接触片の端子が挿通される挿通孔を側方から視認でき、かつ、押込部が位置する部分との間に適切なスペースを確保できるように形成したので、端子を挿通孔に容易に挿入することができるだけでなく、圧入作業も簡単に行うことができる。
【００４０】
特に、絶縁壁の一部で電磁石ブロックの位置決めをも行うようにしたので、構造を複雑化することなく、安価に高い組付性を備えた構成を得ることができる。
【図面の簡単な説明】
【図１】  本実施形態に係る電磁継電器とそのケースを示す分解斜視図である。
【図２】  図１のベースの斜視図である。
【図３】  図２の平面図である。
【図４】  図１の電磁石ブロックの斜視図である。
【図５】  図１の可動鉄片の斜視図である。
【図６】  図１のカードの斜視図である。
【図７】  図１の絶縁部材の斜視図である。
【図８】  図１の第一固定接触片の斜視図である。
【図９】  図１の第二固定接触片の斜視図である。
【図１０】  図１の可動接触片の斜視図である。
【図１１】  図１のベースに絶縁部材を組み付ける状態を示す分解斜視図である。
【図１２】  他の実施形態に係る電磁継電器のケースを除いた状態を示す斜視図である。
【図１３】  図１２の断面図である。
【図１４】  図１２の絶縁部材の斜視図である。
【図１５】  図１２のベースの斜視図である。
【図１６】  他の実施形態に係る絶縁部材の斜視図である。
【符号の説明】
１…ベース
２…電磁石ブロック
３…絶縁部材
４…接触片
１５…第二挿通孔
１６…第三圧入受部
２１…圧入孔
２２…第三挿通孔
２８…電磁石部
４５…第一固定接触片
４６…第二固定接触片
４７…可動接触片
５３…屈曲部
６０…端子部
６０ｃ…第三端子部
【図１】
0003932716.tif 000002
【図２】
0003932716.tif 000003
【図３】
0003932716.tif 000004
【図４】
0003932716.tif 000005
【図５】
0003932716.tif 000006
【図６】
0003932716.tif 000007
【図７】
0003932716.tif 000008
【図８】
0003932716.tif 000009
【図９】
0003932716.tif 000010
【図１０】
0003932716.tif 000011
【図１１】
0003932716.tif 000012
【図１２】
0003932716.tif 000013
【図１３】
0003932716.tif 000014
【図１４】
0003932716.tif 000015
【図１５】
0003932716.tif 000016
【図１６】
0003932716.tif 000017